(57)【特許請求の範囲】
【請求項１】
撮像部と、
前記撮像部による撮影準備の開始を指示する撮影準備操作と、撮影の開始を指示する撮影指示操作とを受け付ける操作手段と、
前記撮影指示操作に応じて前記撮像部により撮影を行った後、該撮影指示操作に応じて撮影された撮影画像を、表示部にレビュー表示する表示制御手段と、を備え、
前記表示制御手段は、
前記撮影指示操作の解除から所定時間が経過する前に前記撮影準備操作が解除された場合、前記撮影画像の前記レビュー表示を設定時間以上行った後にライブビュー表示を開始し、
前記撮影指示操作の解除から所定時間が経過しても前記撮影準備操作が維持されている場合、前記レビュー表示の開始から前記設定時間が経過する前であっても前記所定時間の経過に応じて前記撮影画像の前記レビュー表示を終了して、ライブビュー表示を開始する、ことを特徴とする電子機器。
【請求項２】
前記撮影準備操作が解除されるまでは、当該撮影準備操作に応じて調整された撮影設定を保持することを特徴とする請求項１に記載の電子機器。
【請求項３】
前記表示制御手段は、前記撮影指示操作に応じて撮影動作が開始され、前記撮影指示操作が解除され、かつ、前記撮影準備操作が維持されたまま、前記撮影動作が完了する前に前記所定時間が経過した場合、前記撮影動作の完了後に前記設定時間よりも短い期間で前記レビュー表示を行った後、ライブビュー表示を開始することを特徴とする請求項１または２に記載の電子機器。
【請求項４】
前記所定時間よりも短い前記期間は、前記撮像部が、前記撮影動作の後にライブビュー表示を行うための動作へ切り換わるのに要する準備時間を含むことを特徴とする請求項３に記載の電子機器。
【請求項５】
前記表示制御手段は、前記撮影指示操作に応じて撮影動作が開始され、前記撮影指示操作が解除され、かつ、前記撮影準備操作が維持されたまま、前記撮影動作が完了する前に前記所定時間が経過した場合、前記撮影動作の完了後に直ちにライブビュー表示を開始することを特徴とする請求項１または２に記載の電子機器。
【請求項６】
前記表示制御手段は、前記撮影指示操作が維持されている間、前記レビュー表示を継続し、ライブビュー表示を開始しないことを特徴とする請求項１乃至５のいずれか１項に記載の電子機器。
【請求項７】
前記所定時間は前記設定時間よりも短いことを特徴とする請求項１乃至６のいずれか１項に記載の電子機器。
【請求項８】
前記表示制御手段は、前記レビュー表示において、まず、前記撮像部から読み取られたデータを現像する過程で生成された表示用の画像データを用いて簡易レビュー表示を行い、符号化データが生成されると、該符号化データから生成された表示用画像データを用いて本レビュー表示を行う、ことを特徴とする請求項１乃至７のいずれか１項に記載の電子機器。
【請求項９】
前記表示制御手段は、前記レビュー表示について第１のモードが設定されている場合、前記本レビュー表示を前記設定時間行うことを特徴とする請求項８に記載の電子機器。
【請求項１０】
前記表示制御手段は、前記レビュー表示について第２のモードが設定されている場合、前記符号化データの生成の完了に応じて前記レビュー表示を終了することを特徴とする請求項８または９に記載の電子機器。
【請求項１１】
撮像部と、
前記撮像部による撮影準備の開始を指示する撮影準備操作と、撮影の開始を指示する撮影指示操作とを受け付ける操作手段と、を備える電子機器の制御方法であって、
前記撮影指示操作に応じて前記撮像部により撮影を行った後、該撮影指示操作に応じて撮影された撮影画像を、表示部にレビュー表示する表示制御工程と、を有し、
前記表示制御工程では、
前記撮影指示操作の解除から所定時間が経過する前に前記撮影準備操作が解除された場合、前記撮影画像の前記レビュー表示を設定時間以上行った後にライブビュー表示を開始し、
前記撮影指示操作の解除から所定時間が経過しても前記撮影準備操作が維持されている場合、前記レビュー表示の開始から前記設定時間が経過する前であっても前記所定時間の経過に応じて前記撮影画像の前記レビュー表示を終了して、ライブビュー表示を開始する、ことを特徴とする電子機器の制御方法。
【請求項１２】
コンピュータを、請求項１乃至１０のいずれか１項に記載された電子機器の各手段として機能させるためのプログラム。
【請求項１３】
コンピュータを、請求項１乃至１０のいずれか１項に記載された電子機器の各手段として機能させるためのプログラムを格納したコンピュータが読み取り可能な記憶媒体。
【発明の詳細な説明】
【技術分野】
【０００１】
本発明は、ビューファインダ機能を提供するライブビュー表示および撮影した静止画像を確認するためのレビュー表示を行う電子機器およびその制御方法に関する。
【背景技術】
【０００２】
一般に、デジタルカメラなどの撮像装置は、撮影画像を連続的にＬＣＤなどの表示部にスルー表示するライブビュー表示機能や、ユーザによる撮影操作の直後にその撮影操作によって撮影された静止画像を表示するレビュー表示機能を備えている。ユーザは、ライブビュー表示を見ながら、撮影のためのフレーミングを行うことができる。また、ユーザは、レビュー表示により、ユーザが撮影した静止画像を即時に確認することができる。なお、このようなレビュー表示はレックレビューまたはクイックレビューとも呼ばれる。
【０００３】
また、撮影操作のためのスイッチは、被写体を決定して、露出やピントを決定しロックするための撮影準備操作と、実際の撮影動作を実行させる撮影指示操作との２段階で指示を発生するように構成されているのが一般的である。たとえば、撮影操作のためのスイッチとして、半押しと全押しのそれぞれで信号を発生するシャッターボタンが用いられる。この場合、シャッターボタンの半押しに撮影準備操作が、シャッターボンタンの全押しに撮影指示操作が割り当てられる。このような撮像装置では、撮影準備操作によるロック状態を維持したまま、撮影指示操作を繰り返すことによって、同一露出・ピント条件での撮影を連続して行うことが可能である。
【０００４】
また、一般に、撮像装置は、一つの表示部にライブビュー表示や撮影確認のためのレビュー表示を行うように構成されている。レビュー表示を縮小してライブビュー表示にスパーインポーズで表示する撮像装置も存在するが、縮小されたレビュー表示では撮影画像に関して詳細な確認を行うことが困難であり、不便である。そのため、一般的な撮像装置は、撮影後の所定期間の間はレビュー表示を行い、その後、ライブビュー表示を行うというように、レビュー表示とライブビュー表示を一つの表示部に交互に表示するようにしている。また、このような撮像装置では、レビュー表示をオフしたり、レビュー表示の表示時間を設定したりする機能により、ユーザの好みに合わせてビュー表示を実行させることが可能になっている。
【０００５】
特許文献１には、撮影終了後のレリーズスイッチの全押し解除後に半押しがされていないときには２〜３秒程度のレビュー表示を行い、撮影終了後のレリーズスイッチの全押し解除後に半押しされたときにはライブビュー表示に復帰する撮像装置が記載されている。
【先行技術文献】
【特許文献】
【０００６】
【特許文献１】特開平１０−１９１１１９号公報
【発明の概要】
【発明が解決しようとする課題】
【０００７】
しかしながら、特許文献１の撮像装置においては、撮影後に撮影準備操作を維持した場合、撮影準備操作を維持している間にはレビュー表示が行われないため、ユーザは撮影が意図通りに行われたかをすばやく確認することができない。一方で、撮影後に撮影準備操作を維持した場合に、通常の２〜３秒程度のレビュー表示を行ってしまうと、レビュー表示が行われている間はライブビュー表示を見ることができず、次の撮影のための被写体の確認を行うことができない。
【０００８】
本発明は、上記の課題に鑑みてなされたものであり、撮影後に撮影準備操作を維持したまま撮影画像の確認のためのレビュー表示を行う場合にも、素早く次の撮影のための被写体の確認を行うことが可能な表示制御を提供することを目的とする。
【課題を解決するための手段】
【０００９】
上記の目的を達成するための本発明の一態様による電子機器は以下の構成を備える。すなわち、
撮像部と、
前記撮像部による撮影準備の開始を指示する撮影準備操作と、撮影の開始を指示する撮影指示操作とを受け付ける操作手段と、
前記撮影指示操作に応じて前記撮像部により撮影を行った後、該撮影指示操作に応じて撮影された撮影画像を、表示部にレビュー表示する表示制御手段と、を備え、
前記表示制御手段は、
前記撮影指示操作の解除から所定時間が経過する前に前記撮影準備操作が解除された場合、前記撮影画像の前記レビュー表示を設定時間以上行った後にライブビュー表示を開始し、
前記撮影指示操作の解除から所定時間が経過しても前記撮影準備操作が維持されている場合、前記レビュー表示の開始から前記設定時間が経過する前であっても前記所定時間の経過に応じて前記撮影画像の前記レビュー表示を終了して、ライブビュー表示を開始する。
【発明の効果】
【００１０】
本発明によれば、撮影後に撮影準備操作を維持したまま撮影画像の確認のためのレビュー表示を行う場合にも、素早く次の撮影のための被写体の確認を行うことが可能となる。
【図面の簡単な説明】
【００１１】
【図１】実施形態に係る撮像装置の外観図。
【図２】実施形態に係る撮像装置の構成例を示すブロック図。
【図３】実施形態に係る撮像装置のスイッチ検出方法を示す図。
【図４Ａ】実施形態に係る撮像装置の撮影動作を示すフローチャート。
【図４Ｂ】実施形態に係る撮像装置の撮影動作を示すフローチャート。
【図５】実施形態に係る撮像装置の撮影動作を示すタイミングチャート。
【図６】実施形態に係る撮像装置の撮影動作を示すタイミングチャート。
【図７】実施形態に係る撮像装置の撮影動作を示すタイミングチャート。
【発明を実施するための形態】
【００１２】
以下、添付の図面を参照して本発明の好適な実施形態を説明する。
【００１３】
図１は、本実施形態による撮像装置の一例としてのデジタルカメラ１００の外観図を示す。表示部２８は、たとえばＬＣＤ表示器を有し、撮影画像や各種情報を表示する。シャッターボタン６１は、撮像部２２（図２）による撮影準備の開始を指示する撮影準備操作と、撮影の開始を指示する撮影指示操作とを受け付けるための操作部材である。シャッターボタン６１の半押しが撮影準備操作に割り当てられ、全押しが撮影指示操作に割り当てられている。モード切替スイッチ６０は各種モードを切り替えるための操作部材である。コネクタ１１２は、パーソナルコンピュータやプリンタなどの外部機器と接続するための接続ケーブル１１１を接続する。操作部７０はユーザからの各種操作を受け付ける各種スイッチ、ボタン、タッチパネル等を含む。コントローラホイール７３は操作部７０に含まれる回転操作可能な操作部材である。電源スイッチ７２は、電源オン、電源オフを切り替えるための押しボタンである。
【００１４】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。これにより、デジタルカメラ１００は、記録媒体２００へ画像を記録したり、記録媒体２００に記録されている画像を読み出し、再生したりすることが可能となる。蓋２０２は記録媒体スロット２０１の蓋である。図１においては、蓋２０２を開けて記録媒体スロット２０１から記録媒体２００を取り出して一部を露出させた状態が示されている。
【００１５】
図２は、本実施形態によるデジタルカメラ１００の構成例を示すブロック図である。図２において、撮影レンズ１０３はズームレンズ、フォーカスレンズを含むレンズ群である。シャッター１０１はシャッター機能と絞り機能を備える。撮像部２２はＣＣＤやＣＭＯＳ素子等で構成される撮像素子を含み、光学像を電気信号に変換する。Ａ／Ｄ変換器２３は、撮像部２２から出力されるアナログ信号をデジタル信号に変換する。バリア１０２は、撮影レンズ１０３、シャッター１０１、撮像部２２を含む撮像系を覆うことにより、撮像系の汚れや破損を防止する。
【００１６】
画像処理部２４は、Ａ／Ｄ変換器２３からのデータ、又は、メモリ制御部１５からのデータに対してリサイズ処理（画素補間処理や縮小処理）や色変換処理を行う。また、画像処理部２４は、撮像した画像データを用いて所定の演算処理を行う。システム制御部５０は、この演算処理により得られた演算結果に基づいて露光制御、測距制御、ホワイトバランス制御を行う。これにより、ＴＴＬ（スルー・ザ・レンズ）方式のＡＦ（オートフォーカス）処理、ＡＥ（自動露出）処理、ＥＦ（フラッシュプリ発光）処理、ＡＷＢ（オートホワイトバランス）処理が実現される。
【００１７】
Ａ／Ｄ変換器２３からの出力データは、画像処理部２４及びメモリ制御部１５を介して、或いは、メモリ制御部１５を介してメモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１８】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。
【００１９】
表示部２８は、ＬＣＤ等の表示器上に、Ｄ／Ａ変換器１３からのアナログ信号に応じた表示を行う。Ａ／Ｄ変換器２３により一度Ａ／Ｄ変換されメモリ３２に蓄積されたデジタル信号を、Ｄ／Ａ変換器１３においてアナログ変換し、表示部２８に逐次転送して表示することで、表示部２８はライブビュー表示を行う。このようなライブビュー表示を行うことにより、表示部２８は電子ビューファインダとして機能する。
【００２０】
撮像部２２は、静止画像記録用の全画素読み出し駆動や、ライブビュー表示用の低速間引き読み出し連続駆動、オートフォーカス動作用の高速間引き読み出し連続駆動など、目的に応じた複数の動作モードで動作する。システム制御部５０は、撮像部２２のこれら動作モードを、デジタルカメラ１００の動作状態に応じて使い分ける。
【００２１】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムである。
【００２２】
システム制御部５０は、デジタルカメラ１００全体を制御する。システム制御部５０は、不揮発性メモリ５６に記録されたプログラムを実行することで、後述する本実施形態の各処理を実現する。システムメモリ５２は、ＲＡＭで構成され、システム制御部５０の動作用の定数、変数、不揮発性メモリ５６から読み出したプログラム等が展開される。また、システム制御部５０は、メモリ３２、Ｄ／Ａ変換器１３、表示部２８等を制御するための表示制御を行う。
【００２３】
システムタイマー５３は各種制御に用いる時間や、内蔵された時計の時間を計測する。モード切替スイッチ６０、シャッターボタン６１、操作部７０はシステム制御部５０にユーザからの各種の動作指示を入力する。モード切替スイッチ６０は、デジタルカメラ１００の動作モードを静止画撮影モード、動画撮影モード、再生モード等のいずれかに切り替える。また、静止画撮影モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０は、静止画撮影モードに含まれるこれらのモードのいずれかに直接切り替えることができる。あるいは、モード切替スイッチ６０で静止画撮影モードに切り換えた後、他の操作部材を用いて、静止画撮影モードに含まれる上記モードのいずれかに切り替えるようにしてもよい。同様に、動画撮影モードにも複数のモードが含まれていてもよい。
【００２４】
第１シャッタースイッチ６２は、デジタルカメラ１００に設けられたシャッターボタン６１の操作途中、いわゆる半押し（撮影準備操作）でオンとなり第１シャッタースイッチ信号ＳＷ１を発生する。第１シャッタースイッチ信号ＳＷ１により、システム制御部５０は、ＡＦ（オートフォーカス）処理、ＡＥ（自動露出）処理、ＡＷＢ（オートホワイトバランス）処理、ＥＦ（フラッシュプリ発光）処理等の撮影準備のための動作を開始する。第２シャッタースイッチ６４は、シャッターボタン６１の操作完了、いわゆる全押し（撮影指示操作）でオンとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２６】
また、コントローラホイール７３（図１）は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、システム制御部５０は、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、コントローラホイール７３をタッチセンサよりなる操作部材で構成し、コントローラホイール７３自体は回転せず、コントローラホイール７３上でのユーザの指の回転動作などを検出するものであってもよい。
【００２７】
電源制御部８０は、電池検出回路、ＤＣ−ＤＣコンバータ、通電するブロックを切り替えるスイッチ回路等により構成される。電源制御部８０は、電池の装着の有無、装着されている電池（電源部３０）の種類や電池残量を検出することができる。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２８】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２９】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を外部機器へ送信可能であり、また、外部機器から画像データやその他の各種情報を受信することができる。
【００３０】
姿勢検知部５５は重力方向に対するデジタルカメラ１００の姿勢を検知する。システム制御部５０は、姿勢検知部５５で検知された姿勢に基づいて、撮像部２２で撮影された画像が、デジタルカメラ１００を横に構えて撮影された画像であるか、縦に構えて撮影された画像なのかを判別可能である。また、システム制御部５０は、姿勢検知部５５で検知された姿勢に応じた向きの情報を撮像部２２で撮像された画像の画像ファイルに付加したり、画像を回転して記録したりすることができる。姿勢検知部５５としては、加速度センサやジャイロセンサなどを用いることができる。
【００３１】
次に、図３〜図７を用いて、本実施形態によるデジタルカメラ１００のライブビュー表示とレビュー表示の動作について説明する。デジタルカメラ１００において、ユーザは、レビュー表示の設定として、「切」「２秒」「クイック」の３種類を選択することが可能となっている。レビュー表示の設定の選択内容に応じて、撮影後の動作仕様が異なるが、それらの詳細については図４Ａ、図４Ｂ等により後述する。さらに、本実施形態のデジタルカメラ１００は、レビュー表示として、以下に説明する簡易レビュー表示と本レビュー表示の２種類の表示を有する。
【００３２】
静止画撮影では、撮像部２２から読み出した静止画像データがＡ／Ｄ変換器２３でデジタル化され、画像処理部２４により逐次現像されてメモリ３２に記録される。画像処理部２４は、このデータの現像の過程でレビュー表示用の画像データを生成する。すなわち、画像処理部２４は、現像されたデータの記録と同時に、レビュー表示用の画像形式に変換した表示用画像データをメモリ３２に記録する。したがって、撮像部２２からの信号の読み出しとほぼ同時に現像されたデータの記録と表示用画像データの記録が進行していく。簡易レビュー表示では、この表示用画像データを表示部２８に表示する。また、画像処理部２４は、メモリ３２に記録された現像済みのデータについて、ノイズ除去処理や、より詳細な画質調整を施し、ＪＰＥＧ符号化する。本レビュー表示では、このようにして得られたＪＰＥＧ符号化データを画像に復元してレビュー表示用の画像データを生成し、表示部２８に表示する。
【００３３】
また、本実施形態のデジタルカメラ１００は、撮影準備操作によるロック状態を維持したまま、撮影指示操作を繰り返すことによって、同一露出・ピント条件での撮影を連続して行う連続撮影が可能である。システム制御部５０は、このような連続撮影をユーザが意図しているか否かを判定するために、撮影準備操作がホールド状態であるか否かを判定する。撮影準備操作のホールド状態は、撮影開始後の影指示操作の解除から所定時間が経過しても撮影準備操作が維持されているか否かにより判定される。本実施形態では、第２シャッタースイッチ６４をオフしてから所定時間の間に第１シャッタースイッチ６２のオフが検出されなかった場合に、第１シャッタースイッチ６２がホールド状態であると判定される。
【００３４】
図３は、第１シャッタースイッチ６２（ＳＷ１）のホールド状態の検出を説明する図である。時刻ｔ１〜ｔ４の動作は、撮影の後に短い時間でシャッターボタン６１の半押し（ＳＷ１）が解除された場合の例である。時刻ｔ１でシャッターボタン６１が半押し（ＳＷ１がオン）されると、ＡＦ、ＡＥなどの撮影準備動作を行う。
【００３５】
時刻ｔ２でシャッターボタン６１が全押し（ＳＷ２がオン）されると、デジタルカメラ１００は撮影（露光）を行う。時刻ｔ３で、シャッターボタン６１の全押しが解除され（ＳＷ２がオフ）、半押しの状態で保持（ＳＷ１がオン）されたとする。このｔ３において、所定時間Ｔ以上にわたって第１シャッタースイッチ６２のオンが継続したかを判定するために、システム制御部５０はシステムタイマー５３により時間計測を開始する。なお、時刻ｔ２で開始した露光が終了し、レビュー表示の準備を終えると、システム制御部５０は、ＳＷ２の解除を待たずにレビュー表示を開始する（レビュー表示の設定が「切」以外の場合）。
【００３６】
時刻ｔ４でシャッターボタン６１の半押しが解除（ＳＷ１オフ）された場合、時刻ｔ３から時刻ｔ４の期間は所定時間Ｔ（例えば２００ｍｓｅｃ）よりも短いため、ＳＷ１がホールドされた状態とは判定されない。ＳＷ１がホールドされた状態と判定されなかった場合は、所定の設定時間が経過するまでレビュー表示が行われ、設定時間が経過するとライブビュー表示となる。
【００３７】
時刻ｔ５〜ｔ９の動作は、撮影の後に、ユーザがシャッターボタン６１の半押しを解除せずに継続したことによって、第１シャッタースイッチ６２（ＳＷ１）のホールド状態が検出される場合の例である。時刻ｔ５でシャッターボタン６１が半押し（ＳＷ１オン）されると、システム制御部５０は、ＡＦ、ＡＥなどの撮影準備動作を行う。時刻ｔ６でシャッターボタン６１が全押し（ＳＷ２オン）されると、システム制御部５０は、撮影（露光）を行う。露光が終了し、レビュー表示の準備を終えると、システム制御部５０は、レビュー表示を開始する（レビュー表示の設定が「切」以外の場合）。
【００３８】
時刻ｔ７でシャッターボタン６１の全押しが解除され（ＳＷ２オフ）、半押しの状態が保持（ＳＷ１オン）されたとする。この時刻ｔ７から所定時間Ｔ以上第１シャッタースイッチ６２のオンが継続したかを判定するために、システム制御部５０はシステムタイマー５３による時間計測を開始する。この際の表示は、設定時間が経過していなければレビュー表示であり、設定時間が経過していればライブビュー表示となる。
【００３９】
シャッターボタン６１の半押しが解除されないまま、システムタイマー５３での計測時間が所定時間Ｔに達すると（時刻ｔ８）、システム制御部５０は、ＳＷ１がホールド状態であると判定し、ＳＷホールドフラグをオンとする。これに伴い、システム制御部５０は、レビュー表示の実行中であればそれを中断し、時刻ｔ５〜ｔ６で行われた撮影準備により調整された撮影設定を保持したまま（ＡＦ、ＡＥをロックしたまま）、ライブビュー表示に切替える。これによって、ユーザはライブビュー表示を見ながらフレーミングを決定でき、時刻ｔ５〜ｔ６で行われた撮影準備の結果を適用した撮影が可能となる。
【００４０】
時刻ｔ８〜ｔ９の間でシャッターボタン６１が全押しの状態になると（ＳＷ２オン）、静止画の撮影が実行される。また、時刻ｔ９でシャッターボタン６１の半押しが解除される（ＳＷ１オフ）と、システム制御部５０は、ＳＷホールド状態は解除されたものと判定し、ＳＷホールドフラグをオフにする。また、時刻ｔ５〜ｔ６で行われた撮影準備の結果のロックも解除される。
【００４１】
次に、実施形態によるデジタルカメラ１００の撮影モード処理について図４Ａ、図４Ｂのフローチャートを用いて説明する。この処理は、不揮発性メモリ５６に記録されているプログラムを、システムメモリ５２に展開してシステム制御部５０が実行することにより実現される。なお、図４Ａ、図４Ｂの処理は、デジタルカメラ１００が撮影モードで起動されると開始される。
【００４２】
Ｓ４０１において、システム制御部５０は、撮影レンズ１０３、シャッター１０１、バリア１０２を制御して、撮像部２２に被写体像が投影される状態にする。そして、システム制御部５０は、撮像部２２や画像処理部２４を駆動させ、ＡＥ・ＡＦを継続的に動作させながら、表示部２８へのライブビュー表示（ＬＶ表示）を行う。ユーザは、このライブビュー表示によりフレーミングを行うことが可能になる。
【００４３】
Ｓ４０２において、システム制御部５０は、ＳＷ１がオンになったか（シャッターボタン６１が半押しされたか）否かを判定する。ＳＷ１がオンになったと判定された場合、処理はＳ４０６に進み、そうでない場合、処理はＳ４０３に進む。
【００４４】
Ｓ４０３において、システム制御部５０は、ユーザによる設定操作が行われたか否かを判定する。より具体的には、ユーザにより、操作部７０に含まれるメニューボタンの押下により開かれたメニュー画面から各種の設定操作が行われたか否かを判定する。あるいは、露出、シャッタースピード、絞り値、ストロボ発光、マクロ、セルフタイマー、撮影モードなどの各種設定を変更するメニューボタン以外からの設定操作があったか否かを判定する。設定操作が行われたと判定した場合、処理はＳ４０４に進み、そうでない場合、処理はＳ４０５に進む。
【００４５】
Ｓ４０４では、システム制御部５０は、設定操作に応じた設定処理を行う。例えば、メニューボタンの押下により開かれたメニュー画面のうち、レビュー表示の設定が選択されたとする。この場合、レビュー表示のための設定画面が表示され、たとえば、レビュー表示に関して設定可能な、「切」、「２秒」、「クイック」の３つの選択肢が表示される。これらのうちユーザによって選択された設定が、レビュー表示設定として不揮発性メモリ５６に記録される。ここで、「切」はレビュー表示を行わない設定である。「クイック」は簡易レビュー表示のみを行う設定である。「２秒」は、撮影動作後に簡易レビューを開始し、現像・符号化完了後に２秒間にわって本レビューを表示する設定である。
【００４６】
なお、上述のレビュー表示に関する３つの選択肢は一例であり、これらに限られるものではない。たとえば、上記３つの選択肢の他に、「３〜１０秒（秒数は任意設定可能）」、「ホールド」などが設定可能であっても良い。なお、「ホールド」では、システム制御部５０は、撮影からの時間に関わらずレビュー表示を継続し、ユーザからのライブビューへの復帰操作（ＬＶ復帰操作（例えばＳＷ１のオン））があった場合にレックビューを解除する。
【００４７】
Ｓ４０５では、撮影モード処理の終了イベントがあったか否かを判定する。終了イベントとしては、電源オフ、再生モードなどの他の撮影モードへの遷移などがある。終了イベントがあった場合は処理を終了し、無かった場合はＳ４０１へ戻って処理を繰り返す。
【００４８】
Ｓ４０６では、システム制御部５０は、ＡＦ，ＡＥなどの撮影準備処理を行う。このとき、システム制御部５０は、撮像部２２をＡＦに適した、間引き高速読み出し駆動に切り替えて動作させる。ここで実行されたＡＦによって設定されたフォーカス位置、露出設定は、コンティニュアスＡＦに設定されていない場合、ＳＷ１が保持されている限り保持される。
【００４９】
Ｓ４０７では、システム制御部５０は、ＳＷ２がオンとなったか否か（シャッターボタン６１が全押しされたか否か）を判定する。ＳＷ２がオンとなった場合、処理はＳ４０９に進み、そうでない場合、処理はＳ４０８に進む。Ｓ４０８では、システム制御部５０は、ＳＷ１のオンが維持されたままか否か（ユーザがシャッターボタン６１を半押ししたままとしているか否か）を判定する。ＳＷ１のオンが維持されている場合には処理はＳ４０７に戻り、Ｓ４０７とＳ４０８の処理を繰り返す。また、ＳＷ１がオフとなった（シャッターボタン６１の半押しが解除された）場合、処理はＳ４０１に戻り、システム制御部５０は、撮影待機画面としてライブビュー表示を行う。
【００５０】
Ｓ４０９では、システム制御部５０は、静止画撮像動作に遷移し、撮像部２２をフル画素読み出しに切り替え、設定された露出（シャッター速度、絞り）での露光と読み出し動作、すなわち、本撮影処理を行う。露光を行っている最中は、表示部２８に撮像画像が表示されないブラックアウト期間となる。先に述べたように、画像処理部２４は、読み出し動作とほぼ並行して現像を実行し、静止画像データをメモリ３２に記録すると同時に、簡易レビュー用の画像をメモリ３２に記録する。
【００５１】
Ｓ４１０では、システム制御部５０は、不揮発性メモリ５６の設定情報を参照し、レビュー表示設定が「切」に設定されているか否かを判定する。レビュー表示設定が「切」に設定されている場合、処理はＳ４１１に進み、システム制御部５０は、ブラックアウト期間（Ｓ４０９）の後、レビュー画像を表示することなくライブビュー表示を行う。
【００５２】
次に、Ｓ４１２において、システム制御部５０は、ＳＷ２のオンが維持されているか（Ｓ４０７でＹＥＳとなって以来、ユーザがシャッターボタン６１を全押し状態で保持しているか）否かを判定する。ＳＷ２のオンが維持されている場合には処理はＳ４１２に留まる。他方、ＳＷ２がオフであれば（シャッターボタン６１の全押しが解除されれば）処理はＳ４０８に戻る。このとき、ＳＷ１がオンに維持されていればＡＦ、ＡＥなどの撮影条件はロックした状態が維持される。そして、ＳＷ１がオフになることなく再びＳＷ２がオンになると（シャッターボタン６１の半押しが解除されることなく再度全押しされると）、最初にＳＷ１をオンとした際の撮影準備動作で調整した撮影設定（パラメータなど）を用いた撮影が実行される。
【００５３】
Ｓ４１０においてレビュー表示設定が「切」で無いと判定された場合（すなわち、「２秒」または「クイック」の場合）には、処理はＳ４１３に進む。Ｓ４１３では、システム制御部５０は、Ｓ４０９でメモリ３２に記録されたレビュー表示用の画像を表示部２８に表示することにより簡易レビュー表示を行う。本実施形態では、画像処理部２４によって圧縮符号化（ＪＰＥＧ符号化）が完了し、符号化データから本レビュー用の画像データが生成されるまでの期間（Ｓ４１５でＹＥＳとなるまでの期間）、簡易レビュー表示が実行される。
【００５４】
Ｓ４１４では、システム制御部５０は、ＳＷ２のオン状態が保持されているか（Ｓ４０７でＹＥＳと判定されて以来ユーザがシャッターボタン６１を全押し状態で維持しているか）否かを判定する。ＳＷ２のオン状態が維持されている場合、処理はＳ４１５に進み、そうでない場合（シャッターボタン６１の全押しが解除された場合）、処理はＳ４１９に進む。なお、図４Ａのフローチャートでは、Ｓ４１３の簡易レビュー表示の後に、Ｓ４１４にてＳＷ２オンであるか否かを判定している。しかしながら、Ｓ４０９で開始された撮影動作の露光時間が長い場合には、Ｓ４０９の露光・読み出しが終わる前にＳＷ２がオフされることもある。そのような場合には、システム制御部５０は、簡易レビュー表示の開始（Ｓ４１３）を待つことなく、処理をＳ４１９へ進める。
【００５５】
Ｓ４１５では、システム制御部５０は、画像処理部２４による、Ｓ４０９で撮像した画像の現像・圧縮符号化処理が完了したか否かを判定する。完了したと判定された場合、処理はＳ４１６に進み、完了していないと判定場合、処理はＳ４１４に戻る。なお、現像・部号か完了した場合、圧縮符号化された静止画の画像ファイルが記録媒体２００に記録される。
【００５６】
Ｓ４１６では、システム制御部５０は、不揮発性メモリ５６を参照し、レビュー表示設定が「クイック」となっているか否かを判定する。レビュー表示設定が「クイック」に設定されている場合、処理はＳ４１７に進む。他方、レビュー表示設定が「クイック」以外の場合（「切」でも「クイック」でも無い場合であり、「２秒」などの固定時間が設定されている場合あるいは「ホールド」の場合となる）、処理はＳ４１８に進む。
【００５７】
Ｓ４１７では、システム制御部５０は、ＳＷ２のオン状態が維持されているか（Ｓ４０７でＹＥＳとなって以来、ユーザがシャッターボタン６１を全押し状態を保持しているか）否かを判定する。ＳＷ２のオン状態が維持されている間、Ｓ４１７の処理が繰り返される。ＳＷ２のオン状態が維持されていない場合（シャッターボタン６１の全押しが解除された場合）、処理はＳ４２２に進む。Ｓ４２２において、システム制御部５０は、表示部２８の表示をレビュー表示からライブビュー表示に切り替え、処理をＳ４０８へ戻す。
【００５８】
Ｓ４１８では、システム制御部５０は、画像処理部２４によって、Ｓ４０９で撮像した画像の現像・圧縮符号化処理が施された後の画像を、簡易レビューに代えて本レビューとして表示部２８に表示する。そして、レビュー表示のための設定時間（本レビュー表示を行うレビュー時間（本例では２秒））の計測を開始する。つまり、レビュー表示設定が「２秒」であった場合、簡易レビューの表示時間（現像・符号化にかかる時間）と本レビューの表示時間（ここでは２秒）の合計がレビュー表示の時間となる。なお、簡易レビューと本レビューはユーザから見てほとんど差の無い画像の表示であり、Ｓ４１３で表示した簡易レビューをこのＳ４１８で本レビューに切り替えてもユーザが気付くレベルの変化は無い。本レビュー表示になると、操作部７０を用いた所定の操作入力に応じてレビュー表示をホールド状態とすることができ、さらに、拡大縮小、削除などの操作が行えるようになる。簡易レビューではこれらの操作は行えない。
【００５９】
Ｓ４１９では、システム制御部５０は、Ｓ４１４でＳＷ２がオフとなった（シャッターボタン６１の全押しが解除された）ことに応じて、ＳＷ１がホールド状態か否かを判定するための所定時間Ｔの計測を開始する。所定時間Ｔはユーザが意図的にシャッターボタン６１の半押しを継続したと判断できる長さの時間であり（５０ｍｓｅｃ以上）、かつ、ライブビューに復帰して次の撮影を行うのが遅くならないようにした時間（長くともレビュー時間の２秒未満）である。所定時間Ｔとしては、５０ｍｓｅｃ〜１０００ｍｓｅｃ（１秒）程度が好ましく、本実施形態では所定時間Ｔ＝２００ｍｓｅｃとする。
【００６０】
Ｓ４２０では、システム制御部５０は、ＳＷ１のオンが保持されたままか否か（ユーザがシャッターボタン６１を半押ししたままとしているか否か）を判定する。ＳＷ１のオンが維持されている場合、処理はＳ４２１に進み、ＳＷ１がオフであった（シャッターボタン６１の半押しが解除された）場合、処理はＳ４２７に進む。なお、ＳＷ１がオフとなって処理がＳ４２７に進む場合は、所定時間Ｔの計測は中止され、その計測値はリセットされる。
【００６１】
Ｓ４２１では、システム制御部５０は、Ｓ４１９で時間の計測が開始されてから上述の所定時間Ｔが経過したか（すなわち、シャッターボタン６１の全押しが解除されてから、半押しが保持された状態が所定時間Ｔ継続したか）否かを判定する。所定時間Ｔが経過したと判定された場合、ＳＷ１はホールド状態であると判定され、処理はＳ４２２に進む。そうでない場合、処理はＳ４２３に進む。
【００６２】
Ｓ４２２では、シャッターボタンの全押しを解除して半押しを保持した状態が所定時間Ｔにわたって継続したため、システム制御部５０は、ＳＷ１がホールド状態であると判定する。これにより、システム制御部５０は、撮影条件をロックした連続撮影をユーザが意図しているものと判定し、表示部２８においてレビュー表示を中断してライブビュー表示を復帰させる。この時、ＳＷ１がオフとなっていなければＡＦ、ＡＥなどの撮影条件はロックされた状態（設定維持）である。したがって、その後ＳＷ１がオフになることなくＳＷ２がオンになれば（ユーザが半押しを解除することなく再度全押しすれば）、最初にＳＷ１をオンとした際の撮影準備動作で調整されたパラメータを用いた繰り返し撮影を行うことができる。システム制御部５０は、このようにＳＷ１がホールド状態であると判定した場合には、レビュー表示を行う設定時間（以下、レビュー時間＝２秒）の満了前に（本例ではＴ＝２００ｍｓｅｃで）ライブビュー表示を復帰させる。その結果、ユーザは、ＡＦ、ＡＥなどの撮影条件を維持したまま、素早く被写体の状況（フレーミング）を確認し、次の撮影を行うことができる。
【００６３】
Ｓ４２３では、システム制御部５０は、本レビューの開始からレビュー時間（２秒）が経過したか否かを判定する。レビュー時間が経過したと判定された場合、システム制御部５０は、Ｓ４２２でレビュー表示を終了してライブビュー表示を開始する。レビュー時間が経過していないと判定された場合、処理はＳ４２４に進む。
【００６４】
Ｓ４２４では、システム制御部５０は、Ｓ４０９で撮像した画像に対する画像処理部２４による圧縮符号化処理が完了したか否かを判定する。ただし、Ｓ４２４では、圧縮符号化処理の完了が最初に判定された場合にＹＥＳと判定され、他の場合（未完了の場合または完了済みで既に本レビューとレビュー時間の計測が開始されている場合）にはＮＯと判定される。Ｓ４２４でＹＥＳと判定された場合、処理はＳ４２５に進み、ＮＯと判定された場合、処理はＳ４２０に戻る。Ｓ４２５、Ｓ４２６の処理はＳ４１６、Ｓ４１８の処理と同様である。
【００６５】
Ｓ４２７では、システム制御部５０は、レビュー表示中に、ＳＷ１が再度オンになったか否か（レビュー表示中に一旦解除されたシャッターボタン６１の押下が再び行われたか）を判定する。Ｓ４２７でＳＷ１が再度オンになったと判定された場合、処理はＳ４２８に進む。Ｓ４２８において、システム制御部５０は、レビュー表示を停止してライブビュー表示を復帰させ、処理をＳ４０６に戻す。Ｓ４０６において、システム制御部５０は、撮影準備処理をやり直す。
【００６６】
Ｓ４２７でＳＷ１がオンになっていないと判定された場合、処理はＳ４２９に進む。Ｓ４２９、Ｓ４３０、Ｓ４３１、Ｓ４３２の処理は、Ｓ４２３、Ｓ４２４、Ｓ４２５、Ｓ４２６の処理と同様である。但し、Ｓ４２９でレビュー時間が経過したと判定された場合、システム制御部５０は処理をＳ４０１に戻す。Ｓ４０１で、システム制御部５０は、レビュー表示を終了させて、ライブビュー表示を実行し、デジタルカメラ１００を撮影待機状態に復帰させる。なお、本実施形態では本レビュー表示の開始に応じてレビュー時間の計測を開始しており（Ｓ４１８、Ｓ４２６、Ｓ４３２）Ｓ４２３、Ｓ４２９でレビュー時間の経過によりレビュー表示が停止され場合は、本レビュー表示が設定時間行われることになる。したがって、簡易レビュー表示を含めたレビュー表示は設定時間よりも長く行われることになる。もちろんレビュー表示の期間の制御はこのような形態に限られるものではなく、簡易レビュー表示の開始（Ｓ４１３）に応じてレビュー時間の計測を開始するようにしてもよい。すなわち、Ｓ４２３、Ｓ４２９でレビュー時間の経過によりレビュー表示が停止された場合には、レビュー表示が設定時間以上行われるようにすればよい。
【００６７】
以上説明した図４Ａ、図４Ｂの処理によれば、撮影後にシャッターボタン６１の半押しが保持され、ホールド状態が検出されると、表示部２８の表示が素早くライブビュー表示に復帰する。そのため、同じ撮影条件（ＡＦ、ＡＥ）での撮影をユーザが所望するシャッタータイミングで繰り返し行うことができる。すなわち、撮影条件を維持して繰り返し撮影（上記の連続撮影）するというユーザの撮影意図に合わせ、速やかにファインダー機能優先の動作に切り替わることが可能となり、利便性が向上する。
【００６８】
一方、レビュー表示の表示期間にシャッターボタンの半押しが一度解除（Ｓ４２０でＮＯ）された後に再度オンになった場合（Ｓ４２７でＹＥＳ）、システム制御部５０はライブビュー表示を開始して（Ｓ４２８）、撮影準備処理（ＡＦ、ＡＥ）を行う。たとえば、ユーザは、レビュー表示で撮影画像を確認してピントが合っていないことを認識した場合に、シャッターボタン６１を半押しすると、表示部２８は直ちにライブビュー表示となる。これにより、ユーザは、ＡＦのやり直しての画像の撮影を素早く行うことができる。
【００６９】
また、ビュー表示の状態で、シャッターボタンの全押しが継続されている限り（Ｓ４１４でＹＥＳまたはＳ４１７でＹＥＳ）、設定時間（レビュー時間）に関わらずレビュー表示が継続する。すなわち、ユーザは、シャッターボタン６１の全押し状態を維持することによりレビュー表示を維持させ、撮影画像をじっくりと確認することができる。
【００７０】
ライブビュー表示とレビュー表示の切換え制御についての更なる理解のために、図５〜図７のタイミングチャートを用いて説明する。図５は、本実施形態におけるデジタルカメラ１００の、レビュー表示設定が「切」の場合の動作のタイミングチャートを示す。時刻ｔ０１でＳＷ１がオンとなると、システム制御部５０は、撮像部２２の駆動を高速間引き読み出しに切り替えてＡＦ（Ｏｎｅ  Ｓｈｏｔ  ＡＦ）を行う。時刻ｔ０２でＳＷ２がオンになると、システム制御部５０は、撮像（露光及びフル画素読み出し）を実行し、表示部２８の表示をブラックアウトにする。ｔ０５で撮像データの読み出しが完了すると、レビュー表示設定が「切」であるため、システム制御部５０は、表示部２８の表示をライブビュー表示に復帰させる（Ｓ４０９、Ｓ４１０ＹＥＳ、Ｓ４１１）。なお、図５のタイミングチャートでは、ＳＷ２がオフになってからＳＷ１がオフになるまでの期間（ｔ０５−ｔ０４）が所定時間Ｔよりも短く、システム制御部５０は、ＳＷ１がホールド状態とは判定しない。
【００７１】
図６に、レビュー表示設定が「２秒」に設定されており、ＳＷ２のオンによる撮影の後に素早く（所定時間Ｔの経過前に）シャッターボタン６１を離した（半押しも解除された）場合のデジタルカメラ１００の動作のタイミングチャートを示す。時刻ｔ１１とｔ１２の動作は、図５の時刻ｔ０１とｔ０２の動作と同様である。時刻ｔ１３でＳＷ２がオフとなるので所定時間Ｔの計測を開始するが、時刻ｔ１４で所定時間Ｔが経過する前にＳＷ１がオフ（シャッターボタン６１の半押しが解除）となる。従って時刻ｔ１５で撮像データの読み出しが完了すると、システム制御部５０は、簡易レビュー表示を開始する。その後、時刻ｔ１６で現像・符号化が完了すると、システム制御部５０は、表示部２８における表示を本レビュー表示に切り替える。本レビュー表示に切り替えてからレビュー時間（２秒）が経過すると（ｔ１７）、システム制御部５０は、表示部２８の表示をライブビュー表示に復帰する。
【００７２】
図７は、レビュー表示設定が「２秒」に設定されており、ＳＷ２のオンによる撮影の後にシャッターボタン６１の半押しを解除することなく保持した場合の、デジタルカメラ１００の動作のタイミングチャートを示す。時刻ｔ２１、ｔ２２の動作は図５の時刻ｔ０１、ｔ０２の動作と同様である。時刻ｔ２３でＳＷ２がオフになると所定時間Ｔの計測を開始する。ここで、シャッターボタン６１の全押しが解除され、半押し状態が維持される間、所定時間Ｔの計測が継続する。時刻ｔ２４で撮像データの読み出しが完了すると簡易レビュー表示を開始する。時刻ｔ２５で、ＳＷ１オンが維持されたまま（シャッターボタン６１の半押しが維持されたまま）所定時間Ｔが経過したため、システム制御部５０は、ＳＷ１のホールド状態を検出する。システム制御部５０は、このホールド状態の検出に応じて、レビュー時間（２秒）の経過前であっても、表示部２８におけるレビュー表示を中断してライブビュー表示を復帰させる。
【００７３】
なお、図４Ａ、図４Ｂ、図５〜図７で説明した例では、レビュー表示設定が「切」以外の場合（Ｓ４１０でＮＯ）には、Ｓ４１３で必ず簡易レビュー表示を行うものとしている。しかしながら、撮影のための露光時間が長くなると、Ｓ４０９での露光・読み出しの実行中にＳＷ２がオフされ、ブラックアウト期間中に所定時間Ｔが経過してしまうこともある。そのような場合、システム制御部５０は、レビュー表示の設定時間（レビュー時間）よりも短い期間だけ簡易レビュー表示を行い、直ちにライブビュー表示に復帰するようにしてもよい。このようにすることで、ユーザは、Ｓ４０９による撮影が行われたこと、および、その完了を確認することができる。
【００７４】
たとえば、システム制御部５０は、ブラックアウト期間中に所定時間Ｔが経過した場合に、少なくとも１フレーム分（３０ｆｐｓで画面更新していた場合は少なくとも１／３０秒）の間、簡易レビューを行うようにしてもよい。あるいは、システム制御部５０は、ブラックアウト期間中に所定時間Ｔが経過した場合に、Ｓ４０９の露光・読み出しの完了後から、ライブビュー表示に復帰するまでの処理時間分だけ簡易レビュー表示を行うようにしてもよい。ライブビュー表示に復帰するまでの処理時間とは、たとえば、撮像部２２がライブビュー表示に切り替わるのに要する準備時間を含む。このような制御によれば、ライブビュー表示への復帰までの時間を長くすることなくレビュー表示を行うことができる。なお、ブラックアウト期間中に所定時間Ｔが経過してしまった場合に、簡易レビューを表示することなくライブビュー表示に復帰するようにしてもよい。
【００７５】
上述した実施形態によれば、撮影後に撮影準備操作を維持したまま撮影画像の確認のためのレビュー表示を行う場合にも、素早く次の撮影のための被写体の確認を行うことが可能となる。また、撮影条件をロックして連続撮影を行う場合に、撮影画像の確認のためのレビュー表示と、ファインダーとしての機能のためのライブビュー表示を適切に切り替える表示制御が実現される。すなわち、撮影条件をロックして連続撮影を行う場合に、ユーザによる撮影画像の確認と、ライブビューの消失時間の短縮を両立することができる。
【００７６】
なお、システム制御部５０の制御は１つのハードウェアが行ってもよいし、複数のハードウェアが処理を分担することで、装置全体の制御を行ってもよい。また、上記実施形態では、レビュー表示において最初に簡易レビューを表示し、撮影画像の符号化を終えると本レビューを表示するようにしたがこれに限られるものではない。撮影画像の符号化の完了後も、簡易レビューの表示を継続するようにしてもよい。
【００７７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７８】
また、上述した実施形態においては、本発明を撮像装置（デジタルカメラ）に適用した場合を例にして説明したが、これはこの例に限定されず、撮像部を備えた電子機器であれば適用可能である。すなわち、本発明は、撮像部と表示部を有するパーソナルコンピュータやＰＤＡ、携帯電話端末や携帯型の画像ビューワ、音楽プレーヤー、ゲーム機、電子ブックリーダーなどに適用可能である。
【００７９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
１００：デジタルカメラ、２２：撮像部、２４：画像処理部、２８：表示部、３２：メモリ、システム制御部５０、５２：システムメモリ、６１：シャッターボタン、６２：第１シャッタースイッチ、６４：第２シャッタースイッチ
【図１】
0006604864.tif 000002
【図２】
0006604864.tif 000003
【図３】
0006604864.tif 000004
【図４Ａ】
0006604864.tif 000005
【図４Ｂ】
0006604864.tif 000006
【図５】
0006604864.tif 000007
【図６】
0006604864.tif 000008
【図７】
0006604864.tif 000009